(57)【要約】【課題】スライド棚の取付角度を変更する場合に、棚受部材の全体の取付角度を変更せずにすみ、簡単な操作でスライド棚の取付角度を変更できるショーケースのスライド棚を得る。【解決手段】前面に商品出し入れ用の開口を形成したショーケース本体内の左右に固定レールを設け、この固定レールにそって移動するスライドレールの前端に商品陳列用の棚板を回動自在に取り付け、前記棚板の後部を棚受部材８で支持するショーケースのスライド棚において、棚板を水平位置と傾斜位置に係止する角度調整部材９を前記棚受部材８に回動自在に取り付けた。【選択図】        図１
2005296088.tif 000002
【特許請求の範囲】
【請求項１】
前面に商品出し入れ用の開口を形成したショーケース本体内の左右に固定レールを設け、この固定レールにそって移動するスライドレールの前端に商品陳列用の棚板を回動自在に取り付け、前記棚板の後部を棚受部材で支持するショーケースのスライド棚において、棚板を水平位置と傾斜位置に係止する角度調整部材を前記棚受部材に回動自在に取り付けたことを特徴とするショーケースのスライド棚。
【請求項２】
前記棚受部材の上下位置に切欠きを形成し、前記角度調整部材に前記切欠きに着脱自在に係合する突起を設けたことを特徴とする請求項１記載のショーケースのスライド棚。
【請求項３】
前記角度調整部材は、正面クランク形状の細長板状の本体部と、この本体部に穿設した２つの取付孔に両端部が貫通して先端が突出しこの突出部が前記突起となるコ字形の棒材とで構成したことを特徴とする請求項１または請求項２記載のショーケースのスライド棚。
【請求項４】
左右の角度調整部材間に架設される棚支持部材は、前記突起の形成部位よりも後方位置に配置されることを特徴とする請求項１から請求項３のいずれかに記載のショーケースのスライド棚。
【発明の詳細な説明】
【技術分野】
【０００１】
本発明は、例えばドリンクボトルなどの商品を冷却加熱保持するショーケースのスライド棚に関するものである。
【背景技術】
【０００２】
かかるショーケースは、図７にも示すように前面に商品出し入れ用の開口２を設けた断熱壁で形成されるショーケース本体１内を、仕切板３で冷気や温風の循環ダクト４と商品収納庫５とに区画し、商品収納庫５内には複数段に商品陳列用の棚板６を取り付けている。
【０００３】
この商品陳列用の棚６は、この上に載置してある商品７がドリンクボトルなどの場合、前列の商品７が取り出されると後方の商品７が自動的に前方に移動するよう、棚板６を前方に例えば約１０度傾斜するような角度を設けて配設している。
【０００４】
一方、棚板６は、商品７を補充する際などに出し入れが容易に行えるよう、前面の開口２から前方に移動して突出できるようなスライド構造になっている。このスライド構造は、例えば、商品収納庫５内の両側の側壁に固定レールを設置し、棚板６の両側にこの固定レールにスライド自在に係合するスライドレールを取り付けるもので、棚板６が商品収納庫５内に位置したときに固定レールに係合して水平移動するスライドレールに対して棚板６のみ後方が持ち上がるようにスライドレールの前端に棚板６の前端が回動自在に軸着されている。
【０００５】
そして、棚板６の後部を持ち上げる構造として、従来は、例えば図８、図９に示すように商品収納庫５内の両側の側壁後方位置に配設する棚受部材２１に傾斜板２２を設け、商品収納庫５内では棚板６の後部がこの傾斜板２２で持ち上げられ、前方に傾斜するように構成されている。図中２３は両側の棚受部材２１間に架設した棚支持部材を示し、棚板６の後部はこの棚支持部材２３の上に載置されることになる。
【０００６】
ところで、ショーケースの棚板６の配置は、図７に示すように高さの低いペットボトル等の商品７を主体としてこれを対象に設定されるため、図１０に示すように例えば季節が変わって高さの大きい商品７を収納しようとする場合、棚板６が前傾していると上段の棚板６の底部に商品７の頭部がつかえて収納できなくなることがある。
【０００７】
そこで、棚板６の傾斜角度を変更できるスライド棚がある（例えば特許文献１参照）。これは、前面開放の庫内に備えられるスライド棚であって、庫内両側背面部にある支柱に支持された左右一対の第１ブラケットと、当該第１ブラケットによりショーケースの前後方向に移動可能に支持されたスライド部材と、前記第１ブラケットの上方の位置に支持された左右一対の第２ブラケットと、当該第２ブラケットによりショーケースの前後方向に移動可能に支持された棚アッセンブリとから構成し、前記スライド部材の前端部と前記棚アッセンブリの前端部とを回動自在に軸支して前記スライド部材と棚アッセンブリとを連動させたショーケースのスライド棚において、前記第２ブラケットの後端部を任意の高さに変更可能に支持する支持手段を備えたものである。
【０００８】
この従来技術では、前記支持手段により第２ブラケットの後端部の高さを変更することで、スライド棚を前傾させることも水平に配設することもできる。
【特許文献１】特開２００３−２１９９３８号公報
【発明の開示】
【発明が解決しようとする課題】
【０００９】
前記特許文献１に記載の発明は、スライド棚を前傾させることも水平位置にすることも可能であるが、角度調整は、第２ブラケットの後端に設けた爪を、庫内の支柱に設けた係合孔に係止することにより行っており、係合孔を上下方向に複数設け、適宜高さの係合孔を選択して爪の係合高さ位置を選択することで、棚アッセンブリの傾斜角度を変更する。
【００１０】
このようにスライド棚の配設角度を変更する場合、第２ブラケットに設けた爪の係合孔への掛け替えにより行うものであるが、棚受部材である第２ブラケットの全体の取付傾斜角を変更するものであり、しかも、爪の掛け位置の変更作業は、商品収納庫内の最も奥でのものとなって作業性のよくないものであり、ショーケースあるいは棚の寸法が大きくなった場合、この爪及び契合孔への荷重が大きくなるため強度不足が生じることが考えられる。
【００１１】
さらに、従来構造の棚板が取り付けられたショーケースを、棚の傾斜角度が変更できるよう改造しなければならない場合があるが、前記特許文献１に記載の発明では、新規に契合孔を設ける必要があるため対応が難しいものである。
【００１２】
本発明の目的は前記従来例の不都合を解消し、スライド棚の取付角度を変更する場合に、棚受部材の全体の取付角度を変更せずにすみ、簡単な操作でスライド棚の取付角度を変更でき、さらに傾斜角度が固定された従来のスライド棚からでも、棚受部材などの特定の部材を交換するだけで容易に改造できるショーケースのスライド棚を提供することにある。
【課題を解決するための手段】
【００１３】
請求項１記載の本発明は、前面に商品出し入れ用の開口を形成したショーケース本体内の左右に固定レールを設け、この固定レールにそって移動するスライドレールの前端に商品陳列用の棚板を回動自在に取り付け、固定レールに棚受部材を取り付けたショーケースのスライド棚において、棚板を水平位置と傾斜位置に係止する角度調整部材を前記棚受部材に回動自在に取り付けたことを要旨とするものである。
【発明の効果】
【００１４】
以上述べたように本発明のショーケースのスライド棚は、角調整部材を棚受部材に対して回動するだけの簡単な操作で、この角度調整部材で支持される棚板の取付角度が水平位置と傾斜位置とのいずれかに変更される。
【発明を実施するための最良の形態】
【００１５】
以下、図面について本発明の実施形態を詳細に説明する。図１は本発明のショーケースのスライド棚の実施形態を示す要部である棚受部材と角度調整部材の斜視図で、スライド棚のスライド機構は従来と同様であるからここでの詳細な説明は省略するが、図６のショーケースに示すように商品収納庫５内の両側の側壁に固定レールを設置し、棚板６の両側にこの固定レールにスライド自在に係合するスライドレールを取り付けるもので、棚板６が商品収納庫５内に位置したときに固定レールに係合して水平移動するスライドレールに対して棚板６のみ後方が持ち上がるようにスライドレールの前端に棚板６の前端が回動自在に軸着されている。
【００１６】
かかる構成のショーケースにおいて、棚板６の取付角度を調整するとともに棚板６を支持する手段として、商品収納庫５内の両側の側壁後方位置に角度調整部材９を取り付けた棚受部材８を固定する。
【００１７】
角度調整部材９は、正面クランク形状に形成した細長状の部材で本体部９ａを形成し、この本体部９ａの垂直部分に穿設した２個の取付孔１０にコ字形の棒材９ｂの両端をそれぞれ貫通させ、先端を突出させて突起１１ａ，１１ｂとし、水平部分を棚板６の支持部１２としたものであり、２つの部材を組み合わせるだけで容易に製作できる。
【００１８】
棚受部材８は商品収納庫５個の内壁に固定される本体の内側にこれと平行に垂直部を立設し、この垂直部の下方位置のほぼ中央に前記一方の突起１１ａがスライド自在に挿入する横細長孔１３を形成し、垂直部の端寄り、庫内奥側の位置で上下に他方の突起１１ｂが選択的に係合する切欠き１４ａ，１４ｂを形成する。
【００１９】
図中１５は角度調整部材９に固定される棚支持部材を示し、左右の角調整部材９間に架設されるもので、前記突起１１ｂの形成部位よりも後方位置に配置される
【００２０】
棚板６を水平位置に取り付けるには、図２、図３に示すように突起１１ａを横細長孔１３に挿入した状態で他方の突起１１ｂを下方の切欠き１４ａに係合する。これにより、角度調整部材９は棚受部材８に水平に取り付けられ、支持部１２も水平に位置する。よって、後方にスライドした棚板６は後端が水平位置にある支持部１２で支持されるから、水平に配設される。
【００２１】
ショーケース内に配設される複数の棚板６のうち、下方段に位置するものを水平に配設することで、図６に示すように高さの大きい商品７も、棚の段数を減らすことなく収納できる。
【００２２】
次に棚板６の後部を持ち上げて前傾状態に配設するには、図４、図５に示すように角度調整部材９を、突起１１ａと横細長孔１３との係合箇所を中心軸にして角度調整部材９の後方を持ち上げ、他方の突起１１ｂと切欠き１４ａとの係合を解除して、新たに別の上方の切欠き１４ｂに挿入し、係合させる。これにより、角度調整部材９の後方が持ち上がって全体が前傾する。このように使用する切欠き１４ａ，１４ｂを選択するだけで棚板６の角度を容易に変更できる。
【００２３】
そして、左右の角度調整部材９間に架設される棚支持部材１５は、突起１１ｂの形成部位よりも後方位置に配置されるから、棚支持部材１５にかかる棚板６およびその上の商品７の荷重は、突起１１ａ，１１ｂの２箇所を介して棚受部材８に伝達され、大きな面積で支持される。
【００２４】
また、突起１１ｂと切欠き１４ａ，１４ｂの係合、解除の作業は、庫内の最も奥の位置で行わずにすむから、作業しやすいものである。
【００２５】
さらに、傾斜角度が固定された従来のスライド棚を本発明の構造に改造することを想定した場合、ショーケース本体に追加加工する必要がなく、交換する部品数を最小限にとどめる構造としているため、経済性にも優れたものである。
【図面の簡単な説明】
【００２６】
【図１】本発明のショーケースのスライド棚の実施形態を示す要部の分解斜視図である。
【図２】本発明のショーケースのスライド棚の実施形態を示すスライド棚を水平に配置する場合の棚受部材と角度調整部材の斜視図である。
【図３】本発明のショーケースのスライド棚の実施形態を示すスライド棚を水平に配置した場合の側面図である。
【図４】本発明のショーケースのスライド棚の実施形態を示すスライド棚を前傾させて配置する場合の棚受部材と角度調整部材の斜視図である。
【図５】本発明のショーケースのスライド棚の実施形態を示すスライド棚を前傾させて配置した場合の側面図である。
【図６】本発明のスライド棚を配設したショーケースの縦断側面図である。
【図７】従来のスライド棚を配設したショーケースの縦断側面図である。
【図８】従来のスライド棚の棚受部材の斜視図である。
【図９】従来のスライド棚の側面図である。
【図１０】従来のスライド棚を配設したショーケースの縦断側面図である。
【符号の説明】
【００２７】
１  ショーケース本体            ２  開口
３  仕切板                      ４  循環ダクト
５  商品収納庫                  ６  棚板
７  商品                        ８  棚受部材
９  角度調整部材                ９ａ  本体部
９ｂ  棒材                      １０  取付孔
１１ａ，１１ｂ  突起            １２  支持部
１３  横細長孔                  １４ａ，１４ｂ  切欠き
１５  棚支持部材                ２１  棚受部材
２２  傾斜板                    ２３  棚支持部材
【図１】
2005296088.tif 000003
【図２】
2005296088.tif 000004
【図３】
2005296088.tif 000005
【図４】
2005296088.tif 000006
【図５】
2005296088.tif 000007
【図６】
2005296088.tif 000008
【図７】
2005296088.tif 000009
【図８】
2005296088.tif 000010
【図９】
2005296088.tif 000011
【図１０】
2005296088.tif 000012